(57)【要約】【課題】ネットワークの状態に左右されることなく良好な音声品質でボイスメールを録音及び再生する。【解決手段】ボイスメールファイルを送信又は受信するための端末が、外部より音声を受け付ける。受け付けた音声を符号化し、音声ファイルとする。音声ファイルをボイスメールサーバに送信する。前記ボイスメールサーバから他の端末が送信した音声ファイルを取得する。取得した音声ファイルを復号化する。復号化後の音声を出力する。前記外部からの音声の受付は、他の端末に対し通話を試みたが当該他の端末からの返答がボイスメールの転送要求であったことを契機に開始される。【選択図】図１
2011188262.tif 000002
【特許請求の範囲】
【請求項１】
ボイスメールファイルを送信又は受信するための端末において、
外部より音声を受け付ける音声入力手段と、
前記受け付けた音声を符号化し、音声ファイルとする音声録音手段と、
前記音声ファイルをボイスメールサーバに送信する音声ファイル送信手段と、
前記ボイスメールサーバから他の端末が送信した音声ファイルを取得する音声ファイル受信手段と、
前記取得した音声ファイルを復号化する音声生成手段と、
前記復号化後の音声を出力する音声出力手段と、を備え、
前記外部からの音声の受付は、他の端末に対し通話を試みたが当該他の端末からの返答がボイスメールの転送要求であったことを契機に開始されることを特徴とする端末。
【請求項２】
請求項１に記載の端末において、
他の端末から通話要求を受け付けた場合に、当該通話要求に対する返答としてボイスメールの転送要求を返信できることを特徴とする端末。
【請求項３】
請求項１又は２に記載の端末において、
前記ボイスメールサーバから新規のボイスメールが届いたことを通知され、当該通知に対して返答することにより前記音声ファイル受信手段における前記取得をすることを特徴とする端末。
【請求項４】
送信側の端末である第１の端末と、受信側の端末である第２の端末と、構内交換機と、ボイスメールサーバとを備えたボイスメールファイル送受信システムにおいて、
前記第１の端末が前記構内交換機を介して前記第２の端末に通話要求を発信し、前記第２の通話端末が当該通話要求に対する返信として前記構内交換機を介して前記第１の端末にボイスメールの転送要求を発信し、前記第１の端末が当該転送要求に応じて音声を符号化したファイルである音声ファイルを前記ボイスメールサーバに送信し、前記ボイスメールサーバが当該音声ファイルを受け取った旨を前記構内交換機に通知し、前記構内交換機が当該通知を前記第２の端末に転送し、前記第２の端末が当該転送されてきた通知を契機として前記ボイスメールサーバから前記音声ファイルを取得することを特徴とするボイスメールファイル送受信システム。
【請求項５】
送信側の端末である第１の端末と、受信側の端末である第２の端末と、構内交換機と、ボイスメールサーバとを備えたボイスメールファイル送受信システムにおいて、
前記第１の端末が前記構内交換機を介して前記第２の端末に通話要求を発信し、前記第２の通話端末が当該通話要求に対する返信として前記構内交換機を介して前記第１の端末にボイスメールの転送要求を発信し、前記第１の端末が当該転送要求に応じて音声を符号化したファイルである音声ファイルを前記ボイスメールサーバに送信し、前記ボイスメールサーバが当該音声ファイルを受け取った旨を前記構内交換機に通知し、前記構内交換機が当該通知を前記第２の端末に転送し、前記第２の端末が当該転送されてきた通知を契機として前記ボイスメールサーバから前記音声ファイルを取得し、
前記第１の端末及び前記第２の端末が、請求項１乃至３の何れか１項に記載の端末であることを特徴とするボイスメールファイル送受信システム。
【請求項６】
ボイスメールファイルを送信又は受信するための端末が行うボイスメールファイル送受信方法において、
外部より音声を受け付ける音声入力ステップと、
前記受け付けた音声を符号化し、音声ファイルとする音声録音ステップと、
前記音声ファイルをボイスメールサーバに送信する音声ファイル送信ステップと、
前記ボイスメールサーバから他の端末が送信した音声ファイルを取得する音声ファイル受信ステップと、
前記取得した音声ファイルを復号化する音声生成ステップと、
前記復号化後の音声を出力する音声出力ステップと、を備え、
前記外部からの音声の受付は、他の端末に対し通話を試みたが当該他の端末からの返答がボイスメールの転送要求であったことを契機に開始されることを特徴とするボイスメールファイル送受信方法。
【請求項７】
請求項６に記載のボイスメールファイル送受信方法において、
他の端末から通話要求を受け付けた場合に、当該通話要求に対する返答としてボイスメールの転送要求を返信できることを特徴とするボイスメールファイル送受信方法。
【請求項８】
請求項６又は７に記載のボイスメールファイル送受信方法において、
前記ボイスメールサーバから新規のボイスメールが届いたことを通知され、当該通知に対して返答することにより前記音声ファイル受信ステップにおける前記取得をすることを特徴とするボイスメールファイル送受信方法。
【請求項９】
ボイスメールファイルを送信又は受信するための端末に組み込まれるボイスメールファイル送受信プログラムにおいて、
外部より音声を受け付ける音声入力手段と、
前記受け付けた音声を符号化し、音声ファイルとする音声録音手段と、
前記音声ファイルをボイスメールサーバに送信する音声ファイル送信手段と、
前記ボイスメールサーバから他の端末が送信した音声ファイルを取得する音声ファイル受信手段と、
前記取得した音声ファイルを復号化する音声生成手段と、
前記復号化後の音声を出力する音声出力手段と、を備え、
前記外部からの音声の受付は、他の端末に対し通話を試みたが当該他の端末からの返答がボイスメールの転送要求であったことを契機に開始される端末としてコンピュータを機能させることを特徴とするボイスメールファイル送受信プログラム。
【発明の詳細な説明】
【技術分野】
【０００１】
本発明は、通信システムにおけるボイスメールの送受信に関する。
【背景技術】
【０００２】
構内ＩＰ電話機システムに代表される通信システムにおいて、ボイスメールを用いることが一般的に行われている。具体的には、発信側端末が通話を試みたが、受信側の端末が応答しない場合に、発信側端末とボイスメールサーバとで通話状態にし、音声データをボイスメールサーバでリアルタイムに録音する。その後、受信側端末がボイスメールを聞く際は、受信側端末とボイスメールサーバとを通話状態として、ボイスメールサーバで再生された音声をネットワークを介して聞く。
【０００３】
このようなボイスメールに関連する技術として特許文献１に記載の技術がある。特許文献１に記載の技術はＩＰ電話機に対応付けられたパーソナルコンピュータを利用してボイスメールの再生を容易にするというものである。具体的にはパーソナルコンピュータの画面にボイスメールサーバに記憶されているボイスメールの一覧を表示させる。そして、この表示を元にユーザにより選択されたボイスメールメッセージの再生を目的として、ＩＰ電話機からボイスメール装置に対し発信を行うよう指示する旨を表す発信指示メッセージをＩＰ電話機サーバに送信する。ＩＰ電話機サーバは、この発信指示メッセージをＩＰ電話機に送信する。ＩＰ電話機は、受信した発信指示メッセージに従ってボイスメールメッセージの再生をボイスメール装置に対して指示するための発信を行う。
【先行技術文献】
【特許文献】
【０００４】
【特許文献１】特開２００８−１９９２０２号公報
【発明の概要】
【発明が解決しようとする課題】
【０００５】
上述した技術を用いることによりボイスメールの再生を容易に実現することができる。もっとも、ボイスメールの録音及び再生がボイスメールサーバ上で行われているという基本的な構成は変わらない。そして、このような構成をとることにより或る問題が生じる。
【０００６】
具体的には、上述した構成では、ボイスメールを録音するために、ボイスメールサーバと発信側電話機で通話状態にし、音声データをボイスメールサーバでリアルタイムに録音していたため、ネットワーク状態によっては、音声品質が悪い状態で録音されることがあった。
【０００７】
また、ボイスメールを聞く際にも、ボイスメールサーバで再生された音声をネットワークを介して聞くため、ネットワークの状態によっては、音声品質が悪くなることがあった。
【０００８】
そこで、本発明は、ネットワークの状態に左右されることなく良好な音声品質でボイスメールを録音及び再生することが可能な、ボイスメールファイル送受信システム、ボイスメールファイル送受信端末、その方法及びそのプログラムを提供することを目的とする。
【課題を解決するための手段】
【０００９】
本発明の第１の観点によれば、ボイスメールファイルを送信又は受信するための端末において、外部より音声を受け付ける音声入力手段と、前記受け付けた音声を符号化し、音声ファイルとする音声録音手段と、前記音声ファイルをボイスメールサーバに送信する音声ファイル送信手段と、前記ボイスメールサーバから他の端末が送信した音声ファイルを取得する音声ファイル受信手段と、前記取得した音声ファイルを復号化する音声生成手段と、前記復号化後の音声を出力する音声出力手段と、を備え、前記外部からの音声の受付は、他の端末に対し通話を試みたが当該他の端末からの返答がボイスメールの転送要求であったことを契機に開始されることを特徴とする端末が提供される。
【００１０】
本発明の第２の観点によれば、送信側の端末である第１の端末と、受信側の端末である第２の端末と、構内交換機と、ボイスメールサーバとを備えたボイスメールファイル送受信システムにおいて、前記第１の端末が前記構内交換機を介して前記第２の端末に通話要求を発信し、前記第２の通話端末が当該通話要求に対する返信として前記構内交換機を介して前記第１の端末にボイスメールの転送要求を発信し、前記第１の端末が当該転送要求に応じて音声を符号化したファイルである音声ファイルを前記ボイスメールサーバに送信し、前記ボイスメールサーバが当該音声ファイルを受け取った旨を前記構内交換機に通知し、前記構内交換機が当該通知を前記第２の端末に転送し、前記第２の端末が当該転送されてきた通知を契機として前記ボイスメールサーバから前記音声ファイルを取得することを特徴とするボイスメールファイル送受信システムが提供される。
【００１１】
本発明の第３の観点によれば、ボイスメールファイルを送信又は受信するための端末が行うボイスメールファイル送受信方法において、外部より音声を受け付ける音声入力ステップと、前記受け付けた音声を符号化し、音声ファイルとする音声録音ステップと、前記音声ファイルをボイスメールサーバに送信する音声ファイル送信ステップと、前記ボイスメールサーバから他の端末が送信した音声ファイルを取得する音声ファイル受信ステップと、前記取得した音声ファイルを復号化する音声生成ステップと、前記復号化後の音声を出力する音声出力ステップと、を備え、前記外部からの音声の受付は、他の端末に対し通話を試みたが当該他の端末からの返答がボイスメールの転送要求であったことを契機に開始されることを特徴とするボイスメールファイル送受信方法が提供される。
【００１２】
本発明の第４の観点によれば、送信側の端末である第１の端末と、受信側の端末である第２の端末と、構内交換機と、ボイスメールサーバとを備えたシステムが行うボイスメールファイル送受信方法において、前記第１の端末が前記構内交換機を介して前記第２の端末に通話要求を発信し、前記第２の通話端末が当該通話要求に対する返信として前記構内交換機を介して前記第１の端末にボイスメールの転送要求を発信し、前記第１の端末が当該転送要求に応じて音声を符号化したファイルである音声ファイルを前記ボイスメールサーバに送信し、前記ボイスメールサーバが当該音声ファイルを受け取った旨を前記構内交換機に通知し、前記構内交換機が当該通知を前記第２の端末に転送し、前記第２の端末が当該転送されてきた通知を契機として前記ボイスメールサーバから前記音声ファイルを取得し、前記第１の端末及び前記第２の端末が、請求項６乃至８の何れか１項に記載の端末が行うボイスメールファイル送受信方法を行うことを特徴とするボイスメールファイル送受信方法が提供される。
【００１３】
本発明の第５の観点によれば、ボイスメールファイルを送信又は受信するための端末に組み込まれるボイスメールファイル送受信プログラムにおいて、外部より音声を受け付ける音声入力手段と、前記受け付けた音声を符号化し、音声ファイルとする音声録音手段と、前記音声ファイルをボイスメールサーバに送信する音声ファイル送信手段と、前記ボイスメールサーバから他の端末が送信した音声ファイルを取得する音声ファイル受信手段と、前記取得した音声ファイルを復号化する音声生成手段と、前記復号化後の音声を出力する音声出力手段と、を備え、前記外部からの音声の受付は、他の端末に対し通話を試みたが当該他の端末からの返答がボイスメールの転送要求であったことを契機に開始される端末としてコンピュータを機能させることを特徴とするボイスメールファイル送受信プログラムが提供される。
【発明の効果】
【００１４】
本発明によれば、ボイスメールサーバではなく、発信側のＩＰ電話機で音声を録音し、録音した音声ファイルを相手側ＩＰ電話機で再生することから、ネットワークの状態に左右されることなく良好な音声品質でボイスメールを録音及び再生することが可能となる。
【図面の簡単な説明】
【００１５】
【図１】本発明の実施形態の基本的構成を表す図である。
【図２】本発明の実施形態における第１のＩＰ電話機の基本的構成を表す図である。
【図３】本発明の実施形態における各装置間でのやり取りについて表す図である。
【図４】本発明の実施形態の基本的動作を表すフローチャートである。
【発明を実施するための形態】
【００１６】
まず、本発明の実施形態の概略を説明する。本発明の実施形態は、概略、ボイスメールの録音をボイスメールサーバで行うのではなく、発信側電話機で録音、ファイル化し、ファイルをボイスメールサーバへ送信することで、正しく録音されたボイスメールを相手側で聞くことができるというものである。
【００１７】
次に、本発明の実施形態の構成について図面を参照して詳細に説明する。
【００１８】
本発明の実施形態としては、具体的な構成の一例としてＩＰネットワークに接続された電話機とボイスメールサーバの構成を考える。
【００１９】
図１を参照すると、本発明の実施形態は、ＩＰネットワーク（ＬＡＮ）に接続された第１のＩＰ電話機１００、第２のＩＰ電話機２００、ボイスメールサーバ３００及び構内交換機４００を有している。
【００２０】
次に、図２のブロック図を参照してＩＰ電話機の構成を説明する。図２では第１のＩＰ電話機１００を例に取り説明をするが、第２のＩＰ電話機２００も同様の構成をしているものとする。また、第１のＩＰ電話機１００及び第２のＩＰ電話機２００は、本願発明における「端末」に相当する。
【００２１】
第１のＩＰ電話機１００は、マイク１０１、音声録音部１０２、音声ファイル送信部１０３、音声ファイル受信部１０４、音声再生部１０５及びスピーカ１０６を含む。
【００２２】
これらの各部はそれぞれ概略つぎのように動作する。
【００２３】
マイク１０１は、人が話した音声を収集する部分である。また、マイク１０１は本願発明における「音声入力手段」に相当する。
【００２４】
音声録音部１０２は、マイク１０１により収集された音声を録音して、この音声を符号化してデジタルデータである音声ファイルとして変換する機能を有する。なお、音声録音部１０２がどのようなコーデックを用いるか、どのような音声ファイルフォーマットに準拠するか、は任意であり、特に限定されるものではない。
【００２５】
音声ファイル送信部１０３は、音声録音部１０２により作成された音声ファイルをボイスメールサーバ３００へ送信する部分である。
【００２６】
音声ファイル受信部１０４は、ボイスメールサーバ３００から音声ファイルを取得する部分である。例えば、音声ファイル受信部１０４は、第１のＩＰ電話機１００のユーザがボイスメール取得の操作を行うと、その操作を契機としてボイスメールサーバ３００から音声ファイルを取得する。
【００２７】
音声再生部１０５は、音声ファイル受信部１０４が取得した音声ファイルを復号化する機能を有する。
【００２８】
スピーカ２０１は、音声再生部１０５により復号化された音声を送出する部分である。また、スピーカ２０１は本願発明における「音声出力手段」に相当する。
【００２９】
なお、第１のＩＰ電話機１００は一般的なＩＰ電話機としての機能を実現するために、ユーザの操作を受け付ける入力部や、ユーザに情報を提示するための表示部、演算処理を行う演算部、各種データやソフトウェアを格納するための記憶部、電源部等の部分を有しているが、これらは本実施形態の要旨とは直接関係しないため図示を省略する。
【００３０】
なお、上述したように、第２のＩＰ電話機２００も同様の構成をしており、以下の説明及び図面ではマイク２０１、音声録音部２０２、音声ファイル送信部２０３、音声ファイル受信部２０４、音声再生部２０５及びスピーカ２０６との符号を付して説明する。
【００３１】
次に、図３を参照して第１のＩＰ電話機１００、第２のＩＰ電話機２００、ボイスメールサーバ３００及び構内交換機４００の間でのやり取りについて説明する。
【００３２】
図３に示すように音声ファイル送信部１０３は、音声録音部１０２により作成された音声ファイルをボイスメールサーバ３００へ送信する（Ｓ１）。ボイスメールサーバ３００はボイスメールが届いたことを構内交換機４００へ通知する（Ｓ２）。また、構内交換機４００は第２のＩＰ電話機２００のユーザへボイスメールが届いたことを通知する（Ｓ３）。更に音声ファイル受信部１０４は、ボイスメールサーバ３００から音声ファイルを取得する（Ｓ４）。
【００３３】
次に、図４のフローチャートを参照して本発明の実施形態の動作について詳細に説明する。
【００３４】
まず、第１のＩＰ電話機１００が第２のＩＰ電話機２００へ通話を目的とした電話をかけるために、構内交換機４００に発信要求を行う（図４のステップＡ１）。
【００３５】
構内交換機４００は第１のＩＰ電話機１００からの発信要求に応じて第２のＩＰ電話機２００に着信を指示する（図４のステップＡ２）。
【００３６】
第２のＩＰ電話機２００はボイスメールへの転送が設定されているので、着信に対してボイスメールへの転送を構内交換機４００に要求する（図４のステップＡ３）。
【００３７】
構内交換機４００は、ボイスメールへの転送要求を受信すると、ＩＰ電話機１００に対して、ボイスメール録音指示を行う（図４のステップＡ４）。
【００３８】
ＩＰ電話機１００は、構内交換機４００からボイスメール録音指示を受信すると、第１のＩＰ電話機１００のマイク１０１での音声の収集を開始する（図４のステップＢ１）。なお、ボイスメール録音指示は、音声情報又は画像情報の何れか又はその組合せによりユーザに伝達される。
【００３９】
収集した音声は音声録音部１０２に送られる。そして、音声録音部１０２は音声をファイル化する（図４のステップＢ２）。
【００４０】
ファイル化が終了すると、生成された音声ファイルは、音声ファイル送信部１０３に送られ（図４のステップＢ３）、音声ファイル送信部１０３でボイスメールサーバ３００に送信される（図４のステップＢ４）。
【００４１】
新規ボイスメールファイルを受信したボイスメールサーバ３００は、構内交換機４００にボイスメールが届いたことを通知する（図４のステップＢ５）。
【００４２】
構内交換機４００は、宛先の第２のＩＰ電話機２００に対して、新規のボイスメールが届いたことをユーザに通知するための制御を行う（図４のステップＢ６）。
【００４３】
第２のＩＰ電話機２００は、ユーザからの新規のボイスメールを聞くための操作を受け付けると、ボイスメールサーバ３００に対して、音声ファイル取得要求を送信する（図４のステップＢ７）。
【００４４】
そして、ボイスメールサーバ３００が、音声ファイル取得要求の返信として音声ファイルを送り、第２のＩＰ電話機２００は音声ファイルを取得する（図４のステップＢ８）。
【００４５】
音声ファイル受信部２０４での音声ファイルの取得が完了すると、音声ファイルは音声ファイル再生部２０５に送られる（図４のステップＢ９）。
【００４６】
その後、音声ファイル再生部２０５で再生された音声が（図４のステップＢ１０）、スピーカ２０６より流れる（図４のステップＢ１１）。これにより動作は終了する。
【００４７】
なお、ステップＢ７においてユーザからの新規のボイスメールを聞くための操作を契機とすることなく自動的に音声ファイル取得要求を送信するようにしてもよい。そして、取得した音声ファイルを第２のＩＰ電話機２００が記憶しておき、その後のユーザの操作により記憶している音声ファイルを用いてステップＢ９〜ステップＢ１１の動作を行ってもよい。
【００４８】
以上説明した本発明の実施形態は、以下に示すような多くの効果を奏する。
【００４９】
第１の効果は、本発明の実施形態では、マイクで収集した音声をＩＰ電話機で音声ファイル化するように構成されているため、ボイスメールサーバで音声ファイル化するのに比べて、ネットワークの状態にかかわらず、高品質の音声ファイルを作成することができることである。
【００５０】
第２の効果はボイスメールサーバで再生するのに比べて、高品質のボイスメールを聞くことができることである。
【００５１】
その理由は、発信側のＩＰ電話機で音声を録音し、録音した音声ファイルを相手側ＩＰ電話機で再生するからである。
【００５２】
第３の効果は通話料金を軽減できることである。
【００５３】
その理由は、一般的な技術ではボイスメールを録音するために、ボイスメールサーバと通話状態にしなければならないが、本実施形態ではボイスメールサーバとの通話が発生しないからである。
【００５４】
なお、本発明の実施形態であるボイスメールファイル送受信システムにおける各装置は、ハードウェアにより実現することもできるが、コンピュータをそのボイスメールファイル送受信システムにおける各装置として機能させるためのプログラムをコンピュータがコンピュータ読み取り可能な記録媒体から読み込んで実行することによっても実現することができる。
【００５５】
また、本発明の実施形態によるボイスメールファイル送受信方法は、ハードウェアにより実現することもできるが、コンピュータにその方法を実行させるためのプログラムをコンピュータがコンピュータ読み取り可能な記録媒体から読み込んで実行することによっても実現することができる。
【００５６】
また、上述した実施形態は、本発明の好適な実施形態ではあるが、上記実施形態のみに本発明の範囲を限定するものではなく、本発明の要旨を逸脱しない範囲において種々の変更を施した形態での実施が可能である。例えば、本実施形態を変更すれば、録音したボイスメールファイルを電子メールに添付し送信することも可能である。
【００５７】
上記の実施形態の一部又は全部は、以下の付記のようにも記載されうるが、以下には限られない。
【００５８】
（付記１）  ボイスメールファイルを送信又は受信するための端末において、
外部より音声を受け付ける音声入力手段と、
前記受け付けた音声を符号化し、音声ファイルとする音声録音手段と、
前記音声ファイルをボイスメールサーバに送信する音声ファイル送信手段と、
前記ボイスメールサーバから他の端末が送信した音声ファイルを取得する音声ファイル受信手段と、
前記取得した音声ファイルを復号化する音声生成手段と、
前記復号化後の音声を出力する音声出力手段と、を備え、
前記外部からの音声の受付は、他の端末に対し通話を試みたが当該他の端末からの返答がボイスメールの転送要求であったことを契機に開始されることを特徴とする端末。
【００５９】
（付記２）  付記１に記載の端末において、
他の端末から通話要求を受け付けた場合に、当該通話要求に対する返答としてボイスメールの転送要求を返信できることを特徴とする端末。
【００６０】
（付記３）  付記１又は２に記載の端末において、
前記ボイスメールサーバから新規のボイスメールが届いたことを通知され、当該通知に対して返答することにより前記音声ファイル受信手段における前記取得をすることを特徴とする端末。
【００６１】
（付記４）  送信側の端末である第１の端末と、受信側の端末である第２の端末と、構内交換機と、ボイスメールサーバとを備えたボイスメールファイル送受信システムにおいて、
前記第１の端末が前記構内交換機を介して前記第２の端末に通話要求を発信し、前記第２の通話端末が当該通話要求に対する返信として前記構内交換機を介して前記第１の端末にボイスメールの転送要求を発信し、前記第１の端末が当該転送要求に応じて音声を符号化したファイルである音声ファイルを前記ボイスメールサーバに送信し、前記ボイスメールサーバが当該音声ファイルを受け取った旨を前記構内交換機に通知し、前記構内交換機が当該通知を前記第２の端末に転送し、前記第２の端末が当該転送されてきた通知を契機として前記ボイスメールサーバから前記音声ファイルを取得することを特徴とするボイスメールファイル送受信システム。
【００６２】
（付記５）  送信側の端末である第１の端末と、受信側の端末である第２の端末と、構内交換機と、ボイスメールサーバとを備えたボイスメールファイル送受信システムにおいて、
前記第１の端末が前記構内交換機を介して前記第２の端末に通話要求を発信し、前記第２の通話端末が当該通話要求に対する返信として前記構内交換機を介して前記第１の端末にボイスメールの転送要求を発信し、前記第１の端末が当該転送要求に応じて音声を符号化したファイルである音声ファイルを前記ボイスメールサーバに送信し、前記ボイスメールサーバが当該音声ファイルを受け取った旨を前記構内交換機に通知し、前記構内交換機が当該通知を前記第２の端末に転送し、前記第２の端末が当該転送されてきた通知を契機として前記ボイスメールサーバから前記音声ファイルを取得し、
前記第１の端末及び前記第２の端末が、付記１乃至３の何れか１項に記載の端末であることを特徴とするボイスメールファイル送受信システム。
【００６３】
（付記６）  ボイスメールファイルを送信又は受信するための端末が行うボイスメールファイル送受信方法において、
外部より音声を受け付ける音声入力ステップと、
前記受け付けた音声を符号化し、音声ファイルとする音声録音ステップと、
前記音声ファイルをボイスメールサーバに送信する音声ファイル送信ステップと、
前記ボイスメールサーバから他の端末が送信した音声ファイルを取得する音声ファイル受信ステップと、
前記取得した音声ファイルを復号化する音声生成ステップと、
前記復号化後の音声を出力する音声出力ステップと、を備え、
前記外部からの音声の受付は、他の端末に対し通話を試みたが当該他の端末からの返答がボイスメールの転送要求であったことを契機に開始されることを特徴とするボイスメールファイル送受信方法。
【００６４】
（付記７）  付記６に記載のボイスメールファイル送受信方法において、
他の端末から通話要求を受け付けた場合に、当該通話要求に対する返答としてボイスメールの転送要求を返信できることを特徴とするボイスメールファイル送受信方法。
【００６５】
（付記８）  付記６又は７に記載のボイスメールファイル送受信方法において、
前記ボイスメールサーバから新規のボイスメールが届いたことを通知され、当該通知に対して返答することにより前記音声ファイル受信ステップにおける前記取得をすることを特徴とするボイスメールファイル送受信方法。
【００６６】
（付記９）  送信側の端末である第１の端末と、受信側の端末である第２の端末と、構内交換機と、ボイスメールサーバとを備えたシステムが行うボイスメールファイル送受信方法において、
前記第１の端末が前記構内交換機を介して前記第２の端末に通話要求を発信し、前記第２の通話端末が当該通話要求に対する返信として前記構内交換機を介して前記第１の端末にボイスメールの転送要求を発信し、前記第１の端末が当該転送要求に応じて音声を符号化したファイルである音声ファイルを前記ボイスメールサーバに送信し、前記ボイスメールサーバが当該音声ファイルを受け取った旨を前記構内交換機に通知し、前記構内交換機が当該通知を前記第２の端末に転送し、前記第２の端末が当該転送されてきた通知を契機として前記ボイスメールサーバから前記音声ファイルを取得することを特徴とするボイスメールファイル送受信方法。
【００６７】
（付記１０）  送信側の端末である第１の端末と、受信側の端末である第２の端末と、構内交換機と、ボイスメールサーバとを備えたシステムが行うボイスメールファイル送受信方法において、
前記第１の端末が前記構内交換機を介して前記第２の端末に通話要求を発信し、前記第２の通話端末が当該通話要求に対する返信として前記構内交換機を介して前記第１の端末にボイスメールの転送要求を発信し、前記第１の端末が当該転送要求に応じて音声を符号化したファイルである音声ファイルを前記ボイスメールサーバに送信し、前記ボイスメールサーバが当該音声ファイルを受け取った旨を前記構内交換機に通知し、前記構内交換機が当該通知を前記第２の端末に転送し、前記第２の端末が当該転送されてきた通知を契機として前記ボイスメールサーバから前記音声ファイルを取得し、
前記第１の端末及び前記第２の端末が、付記６乃至８の何れか１項に記載の端末が行うボイスメールファイル送受信方法を行うことを特徴とするボイスメールファイル送受信方法。
【００６８】
（付記１１）  ボイスメールファイルを送信又は受信するための端末に組み込まれるボイスメールファイル送受信プログラムにおいて、
外部より音声を受け付ける音声入力手段と、
前記受け付けた音声を符号化し、音声ファイルとする音声録音手段と、
前記音声ファイルをボイスメールサーバに送信する音声ファイル送信手段と、
前記ボイスメールサーバから他の端末が送信した音声ファイルを取得する音声ファイル受信手段と、
前記取得した音声ファイルを復号化する音声生成手段と、
前記復号化後の音声を出力する音声出力手段と、を備え、
前記外部からの音声の受付は、他の端末に対し通話を試みたが当該他の端末からの返答がボイスメールの転送要求であったことを契機に開始される端末としてコンピュータを機能させることを特徴とするボイスメールファイル送受信プログラム。
【００６９】
（付記１２）  付記１１に記載のボイスメールファイル送受信プログラムにおいて、
他の端末から通話要求を受け付けた場合に、当該通話要求に対する返答としてボイスメールの転送要求を返信できることを特徴とするボイスメールファイル送受信プログラム。
【００７０】
（付記１３）  付記１１又は１２に記載のボイスメールファイル送受信プログラムにおいて、
前記ボイスメールサーバから新規のボイスメールが届いたことを通知され、当該通知に対して返答することにより前記音声ファイル受信手段における前記取得をすることを特徴とするボイスメールファイル送受信プログラム。
【符号の説明】
【００７１】
１００  第１のＩＰ電話機
１０１、２０１  マイク
１０２、２０２  音声録音部
１０３、２０３  音声ファイル送信部
１０４、２０４  音声ファイル受信部
１０５、２０５  音声再生部
１０６、２０６  スピーカ
２００  第２のＩＰ電話機
３００  ボイスメールサーバ
４００  構内交換機
【図１】
2011188262.tif 000003
【図２】
2011188262.tif 000004
【図３】
2011188262.tif 000005
【図４】
2011188262.tif 000006